(57)【要約】【課題】  コンテンツ管理方法及び装置を提供する。【解決手段】  放送事業者から受信された放送信号を復元するステップと、復元された放送信号に含まれたコンテンツを識別できるコンテンツ識別子及び所定の認証情報を放送事業者に伝送するステップと、放送事業者からコンテンツ識別子に対応するコンテンツキーを備えるコンテンツ管理情報を受信するステップと、コンテンツキーを使用してコンテンツを暗号化するステップと、暗号化されたコンテンツをコンテンツ保存装置に保存するステップと、を含むコンテンツ管理方法。【選択図】      図２
2006319970.tif 000002
【特許請求の範囲】
【請求項１】
放送事業者から受信された放送信号を復元するステップと、
前記復元された放送信号に含まれたコンテンツを識別できるコンテンツ識別子及び所定の認証情報を前記放送事業者に伝送するステップと、
前記放送事業者から前記コンテンツ識別子に対応するコンテンツキーを備えるコンテンツ管理情報を受信するステップと、
前記コンテンツキーを使用して前記コンテンツを暗号化するステップと、
前記暗号化されたコンテンツをコンテンツ保存装置に保存するステップと、を含むコンテンツ管理方法。
【請求項２】
前記認証情報は、前記放送信号をデスクランブリングできる権限を持つ携帯用記録媒体を識別できる記録媒体識別子及び所定のキー情報のうち少なくとも一つを含む請求項１に記載のコンテンツ管理方法。
【請求項３】
前記キー情報は、所定の乱数、ＤＴＬＡキー値、及び前記乱数と前記ＤＴＬＡキー値との組み合わせのうちいずれか一つである請求項２に記載のコンテンツ管理方法。
【請求項４】
前記キー情報は、前記コンテンツ保存装置から受信されたキー情報である請求項２に記載のコンテンツ管理方法。
【請求項５】
前記コンテンツ識別子及び認証情報を放送事業者に伝送するステップは、前記コンテンツ識別子に対応する公開キーを前記復元された放送信号から抽出するステップと、前記抽出された公開キーを使用して前記認証情報を暗号化するステップと、前記コンテンツ識別子及び前記暗号化された認証情報を前記放送事業者に伝送するステップと、を含む請求項１に記載のコンテンツ管理方法。
【請求項６】
前記暗号化された認証情報は、前記認証情報についての所定のハッシュ値と共に伝送される請求項５に記載のコンテンツ管理方法。
【請求項７】
前記放送事業者から受信されるコンテンツキー及び再生制限情報は、前記認証情報を使用して暗号化されており、前記暗号化されたコンテンツキー及び再生制限情報を前記認証情報を使用して復号化するステップをさらに含む請求項１に記載のコンテンツ管理方法。
【請求項８】
前記コンテンツ保存装置から前記暗号化されたコンテンツが受信された場合、前記コンテンツキーを使用して前記暗号化されたコンテンツを復号化するステップと、前記復号化されたコンテンツをディスプレイ装置に提供するステップと、をさらに含む請求項１に記載のコンテンツ管理方法。
【請求項９】
前記コンテンツ管理情報は、前記コンテンツについての再生制限情報をさらに含み、前記復号化するステップは、前記再生制限情報を通じて前記コンテンツの再生権限があると判断された場合に行われる請求項８に記載のコンテンツ管理方法。
【請求項１０】
前記コンテンツを前記ディスプレイ装置に提供することによって、前記再生制限情報をアップデートするステップをさらに含む請求項９に記載のコンテンツ管理方法。
【請求項１１】
前記再生制限情報は、前記コンテンツの再生回数を制限する再生回数制限、前記コンテンツの再生日を制限する再生日制限、及び前記コンテンツの再生期間を制限する再生期間制限に関する情報を含む請求項９に記載のコンテンツ管理方法。
【請求項１２】
放送事業者から受信された放送信号を復元する復元モジュールと、
前記復元された放送信号に含まれたコンテンツを識別できるコンテンツ識別子及び所定の認証情報を前記放送事業者に伝送し、前記放送事業者から前記コンテンツ識別子に対応するコンテンツキーを含むコンテンツ管理情報を受信するネットワークインターフェースモジュールと、
前記コンテンツキーを使用して前記コンテンツを暗号化及び復号化する暗／復号化モジュールと、
前記暗号化されたコンテンツをコンテンツ保存装置に保存させるデバイスインターフェースモジュールと、を備えるコンテンツ管理装置。
【請求項１３】
前記認証情報は、前記放送信号をデスクランブリングできる権限を持つ携帯用記録媒体を識別できる記録媒体識別子及び所定のキー情報のうち少なくとも一つを含む請求項１２に記載のコンテンツ管理装置。
【請求項１４】
前記キー情報は、所定の乱数、ＤＴＬＡキー値、及び前記乱数と前記ＤＴＬＡキー値との組み合わせのうちいずれか一つである請求項１３に記載のコンテンツ管理装置。
【請求項１５】
前記キー情報は、前記コンテンツ保存装置から受信されたキー情報である請求項１３に記載のコンテンツ管理装置。
【請求項１６】
前記コンテンツ識別子に対応する公開キーを前記送信号から抽出する管理モジュールをさらに含み、前記暗／復号化モジュールは、前記抽出された公開キーを使用して前記認証情報を暗号化する請求項１２に記載のコンテンツ管理装置。
【請求項１７】
前記ネットワークインターフェースモジュールは、前記放送事業者に前記認証情報についての所定のハッシュ値をさらに伝送される請求項１６に記載のコンテンツ管理装置。
【請求項１８】
前記放送事業者から受信されるコンテンツキー及び再生制限情報は、前記認証情報を使用して暗号化されており、前記暗／復号化モジュールは、前記暗号化されたコンテンツキー及び再生制限情報を前記認証情報を使用して復号化する請求項１２に記載のコンテンツ管理装置。
【請求項１９】
前記デバイスインターフェースモジュールが前記コンテンツ保存装置から前記暗号化されたコンテンツを受信した場合、前記暗／復号化モジュールは、前記コンテンツを使用して前記暗号化されたコンテンツを復号化して、前記デバイスインターフェースモジュールは、前記復号化されたコンテンツをディスプレイ装置に提供する請求項１２に記載のコンテンツ管理装置。
【請求項２０】
前記コンテンツ管理情報は、前記コンテンツについての再生制限情報をさらに含み、前記暗／復号化モジュールは、前記再生制限情報を通じて前記コンテンツの再生権限があると判断された場合に前記暗号化されたコンテンツを復号化する請求項１９に記載のコンテンツ管理装置。
【請求項２１】
前記コンテンツを前記ディスプレイ装置に提供することによって、前記再生制限情報をアップデートする制御モジュールをさらに含む請求項２０に記載のコンテンツ管理装置。
【請求項２２】
前記再生制限情報は、前記コンテンツの再生回数を制限する再生回数制限、前記コンテンツの再生日を制限する再生日制限、及び前記コンテンツの再生期間を制限する再生期間制限に関する情報を含む請求項２０に記載のコンテンツ管理装置。
【発明の詳細な説明】
【技術分野】
【０００１】
本発明はコンテンツ管理に係り、さらに詳細には、放送信号を通じて受信されたコンテンツを保存して再生するためのコンテンツ管理方法及び装置に関する。
【背景技術】
【０００２】
最近の放送システムは、アナログ方式からデジタル方式に転換されており、デジタル放送環境下でデジタルマルチメディアサービスが順次増加しつついる。これにより、サービス提供者の利益及び消費者の権利を効率的に保護して管理するための技術も活発に研究されている。
【０００３】
特に、デジタルデータは、大量のコピーが容易で速くて、広範囲な伝送及び配布が可能である。コピーされたデジタルデータは原本と同等な質を保持し、編集及び合成などのための柔軟性がとても高いことが特徴である。
【０００４】
また最近衛星通信、ネットワークなど伝送技術の急激な発達につれて音楽、映像、ビデオなど多様なサービスを提供することは、サービスユーザには便利かつ有効であるが、一方にサービス提供者の権利を保護するには不安定な要素を含む。これは、大部分の著作物がデジタル化されており、大容量、高性能の汎用パソコンが開発されてマルチメディアコンテンツを容易にコピー、編集、配布できるためである。したがって、マルチメディア著作物の著作権を保護するための研究が必須に要求されている。
【０００５】
デジタル放送の特徴は、多チャンネル化、高品質化、そして多機能化に要約される。特に、多重化技術の発展につれて映像、音声、データなどを内容及び大きさに関係なく同時に縛って伝送可能であり、モデムを通じたリターンチャンネルが形成されて対話形サービスが可能である。これにより、デジタルデータ放送は既存アナログ放送の限界を克服して付加価値の高いマルチメディアサービスを視聴者に提供できる。しかし、デジタルデータの統合放送において、送信側と受信側との間に相互保安性が確立されない場合、放送の商業的構造が崩れるようになる。そして、放送事業者は、多チャンネル及び全文チャンネルの活性化により既存広告輸入に依存したサービスから逸脱して加入者に良質の放送サービスを提供し、これらから聴視料を徴収する、すなわち、時間当り支払い（ｐａｙ−ｐｅｒ−ｔｉｍｅ）及びコンテンツ当り支払い（ｐａｙ−ｐｅｒ−ｖｉｅｗ）などの有料放送サービスを提供しようとし、また送出された多様なマルチメディアデータが保護されて正当な受信権限のある認証された加入者のみ受信できることを希望するが、このような問題を解決するために開発されたものがいわゆる制限受信システム（Ｃｏｎｄｉｔｉｏｎａｌ  Ａｃｃｅｓｓ  Ｓｙｓｔｅｍ、ＣＡＳ）である。
【０００６】
このような制限受信システムを通じて放送信号別にセットトップボックスのユーザ認証を行って、認証された信号のみユーザに示すことによって放送別有料課金政策をなすことができる。ユーザは、所定の料金を納付した場合にそれによって一定時間または一定コンテンツに対する視聴権利を持つ。もし、一定権利が満了する場合には、ユーザはこれ以上該当放送を視聴できず、別途に料金を納付して初めて再び視聴権利を持つことができる。
【０００７】
しかし、ユーザの多様な要求に応じて代価を支払った有料コンテンツをユーザのコンテンツ保存装置に保存させ、再生させることができる技術が必要となっている。これにより、有料コンテンツに対する保安を維持できるコンテンツ管理技術が要求される。
【０００８】
特許文献１はデジタルデータをより便利で少ない費用に供給するあるシステムと供給方法に関ことだ。しかし特許文献１はコンテンツの購入に対した技術を開始しているだけで、買ったコンテンツを管理する技術に対しては説明し出来なくている。
【特許文献１】韓国公開特許第２００１−００９６９２４号公報
【発明の開示】
【発明が解決しようとする課題】
【０００９】
本発明は、ＣＡＳを適用したコンテンツについてコンテンツ提供者の権利を保護する一方、ユーザが代価を支払ったコンテンツを別途に保存して必要時に再生させることができるコンテンツ管理技術を提供するところにその目的がある。
【００１０】
本発明の目的は、以上で言及した目的に制限されず、言及されていない他の目的は下の記載から当業者に明確に理解されうる。
【課題を解決するための手段】
【００１１】
前記目的を達成するために、本発明の実施形態によるコンテンツ管理方法は、放送事業者から受信された放送信号を復元するステップと、前記復元された放送信号に含まれたコンテンツを識別できるコンテンツ識別子及び所定の認証情報を前記放送事業者に伝送するステップと、前記放送事業者から前記コンテンツ識別子に対応するコンテンツキーを備えるコンテンツ管理情報を受信するステップと、前記コンテンツキーを使用して前記コンテンツを暗号化するステップと、前記暗号化されたコンテンツをコンテンツ保存装置に保存するステップと、を含む。
【００１２】
前記目的を達成するために、本発明の実施形態によるコンテンツ管理装置は、放送事業者から受信された放送信号を復元する復元モジュールと、前記復元された放送信号に含まれたコンテンツを識別できるコンテンツ識別子及び所定の認証情報を前記放送事業者に伝送し、前記放送事業者から前記コンテンツ識別子に対応するコンテンツキーを含むコンテンツ管理情報を受信するネットワークインターフェースモジュールと、前記コンテンツキーを使用して前記コンテンツを暗号化及び復号化する暗／復号化モジュールと、前記暗号化されたコンテンツをコンテンツ保存装置に保存させるデバイスインターフェースモジュールと、を備える。
【００１３】
その他の実施例の具体的な事項は詳細な説明及び図面に含まれている。
【発明の効果】
【００１４】
本発明のコンテンツ管理方法及び装置によれば、従来の放送受信システム下で有料コンテンツの保存及び再生のための保安機能を提供できる。
【発明を実施するための最良の形態】
【００１５】
本発明の利点及び特徴、そしてこれを達成する方法は添付された図面に基づいて詳細に後述されている実施例を参照すれば明確になる。しかし、本発明は以下で開示される実施例に限定されるものではなく、この実施例から外れて多様な形に具現でき、本明細書で説明する実施例は本発明の開示を完全にし、本発明が属する技術分野で当業者に発明の範ちゅうを完全に報せるために提供されるものであり、本発明は請求項及び発明の詳細な説明により定義されるだけである。一方、明細書全体に亙って同一な参照符号は同一な構成要素を示す。
【００１６】
以下、添付した図面を参照して本発明の望ましい実施形態を詳細に説明する。
【００１７】
図１は、本発明の一実施形態によるコンテンツ管理システムを示す図面である。
【００１８】
コンテンツ管理システムは、放送事業者１００、コンテンツ管理装置３００、ディスプレイ装置２００、及びコンテンツ保存装置４００を備える。
【００１９】
放送事業者１００は、コンテンツを含む放送信号を出力する。ここで、コンテンツは、放送事業者１００が提供する映画、ドラマ、スポーツ、娯楽などのプログラムでありうる。またコンテンツは、プログラム内のサービス客体でありうる。サービス客体は、一つのプログラム内で区別される個々のサービスであって、サービス客体の例には、オンラインゲーム中継プログラムで提供するゲーマー（ｇａｍｅｒ）間の各試合放送、ホームショッピングプログラムで個々の商品案内放送などを挙げることができる。
【００２０】
放送事業者１００は、このようなコンテンツを有料で提供でき、代価を支払わないユーザへのコンテンツ提供を防止するために、放送事業者１００はスクランブルされた放送信号を出力する。放送事業者１００により出力される放送信号は、放送事業者１００が構築しているインフラによって衛星放送、ケーブル放送、または地上波放送に提供できる。したがって、コンテンツ管理装置３００は、これに対応する放送信号受信手段を具備できる。
【００２１】
また放送事業者１００は、コンテンツ管理装置３００の要請に応じてコンテンツを暗／復号化できる所定のキー（以下、コンテンツキーという）及び該当コンテンツの再生制限情報をコンテンツ管理装置３００に提供する。再生制限情報は、コンテンツを再生させることができる回数、時間などの情報を含む。再生制限情報については、図３を参照して後述する。
【００２２】
コンテンツ管理装置３００は、放送事業者１００から伝送された放送信号を復元させる。この時、コンテンツ管理装置３００は、ユーザ認証を通じて放送信号を選別的にデスクランブルする。ユーザ認証は、ユーザが購入した携帯用記録媒体（図示せず）を通じて行うことができる。携帯用記録媒体は、ユーザの操作によってコンテンツ管理装置３００に脱着可能であり、所定のデータに対して読み出し／書き込み可能なメモリ手段である。携帯用記録媒体にはユーザ認証のための所定の認証パラメータが保存されており、放送信号に含まれた認証パラメータが携帯用記録媒体に保存されている認証パラメータと同じ場合、ユーザ認証が成功的に完了する。このような携帯用記録媒体の例として、スマートメディア、ＳＤカード、メモリスティックなどが使われることができる。望ましくは、携帯用記録媒体はスマートカードであり、以下では、携帯用記録媒体の実施形態としてスマートカードを使用して本発明を説明する。
【００２３】
前述したような放送事業者１００とコンテンツ管理装置３００との間の有料放送のためのコンテンツ保安技術の望ましい実施形態としてＣＡＳが使われることができる。
【００２４】
一方、コンテンツ管理装置３００は、ユーザが保存させようとするコンテンツのコンテンツキー及び該当コンテンツの再生制限情報を放送事業者１００に要請する。放送事業者１００からコンテンツキー及び再生制限情報が伝送されれば、コンテンツ管理装置３００は、放送信号のうちユーザが保存させようとするコンテンツを放送事業者１００から伝送されたコンテンツキーに暗号化した後、コンテンツ保存装置４００に伝送する。放送事業者１００とコンテンツ管理装置３００との間にはインターネットプロトコル基盤のリターンチャンネル１０が形成され、これを通じて放送事業者１００とコンテンツ管理装置３００との対話形サービスが可能である。したがって、コンテンツ管理装置３００の暗号キー及び再生制限情報の要請や、放送事業者１００の暗号キー及び再生制限情報の伝送は、リターンチャンネル１０を通じて行われる。
【００２５】
ディスプレイ装置２００から再生命令が入力されれば、コンテンツ管理装置３００はコンテンツ保存装置４００から伝送される暗号化されたコンテンツを該当コンテンツに対応するコンテンツキーに復号化した後、ディスプレイ装置２００に提供する。この時、コンテンツ管理装置３００は、該当コンテンツの再生制限情報によって制限された範囲内でコンテンツを提供し、コンテンツが提供されることによって該当コンテンツの再生制限情報を更新させる。
【００２６】
このようなコンテンツ管理装置３００は、セットトップボックスのようにデジタル放送を受信できるネットワークインターフェースユニット（ＮＩＵ）でありうる。
【００２７】
コンテンツ保存装置４００は、一種のＡ／ＶＨＤＤ（オーディオ／ビデオハードディスクドライブ）であって、コンテンツ管理装置３００から伝送されるコンテンツを保存し、保存されたコンテンツのうちディスプレイ装置２００から要請されたコンテンツをコンテンツ管理装置３００に伝送する。コンテンツ保存装置４００に保存されるコンテンツは、コンテンツ管理装置３００によりコンテンツキーに暗号化された状態であるため、コンテンツに対する保安を維持できる。図示されたコンテンツ管理システムは一つのコンテンツ保存装置４００を備えているが、本発明の実施形態によってコンテンツ管理システムは、一つ以上のコンテンツ保存装置を備えることができる。
【００２８】
ディスプレイ装置２００は、コンテンツ管理装置３００から提供されるコンテンツをディスプレイする。また、ディスプレイ装置２００は、ユーザの要求に応じて放送信号に含まれたＥＰＧデータをディスプレイするＧＵＩをユーザに提供できる。このようなディスプレイ装置２００の一例としてデジタルＴＶが使われることができる。
【００２９】
コンテンツ管理装置３００及びコンテンツ保存装置４００は、ディスプレイ装置２００を中心としてデージーチェーン方式で連結されることができる。したがって、ディスプレイ装置２００は、ユーザがコンテンツ保存を要請するか、保存されたコンテンツの再生を要請する場合にコンテンツ管理装置３００及びコンテンツ保存装置４００にコンテンツ保存や再生に必要な動作を行うように指示できる。
【００３０】
一方、コンテンツ管理装置３００、コンテンツ保存装置４００、及びディスプレイ装置２００間のデータ伝送には、コンテンツの無断コピーを防止するためにＤＴＣＰ（デジタルトランスミッションコンテントプロテクション）のような所定の保安プロトコルが使われることができる。
【００３１】
本発明の望ましい実施形態によれば、コンテンツ管理装置３００、コンテンツ保存装置４００、及びディスプレイ装置２００は、Ａ／ＶホームネットワーキングのためのミドルウェアであるＸＨＴ（エキスパンダブルホームシアタ）技術を使用して相互連結されることができる。
【００３２】
ＸＨＴ技術は、韓国の三星電子（株）が開発したデジタルＴＶ中心のホームネットワークソリューションであって、米国家電協会（コンシューマエレクトロニクスアソシエーション：以下、ＣＥＡという）の標準規格と採択された。
【００３３】
ＸＨＴ技術は、複数のＨＤ（高精細度）級信号を安定的に伝達できるＩＥＥＥ  １３９４ケーブルと、インターネットで主に使われる通信規格であるインターネットプロトコルを利用してデジタルＴＶと連結されたＡ／Ｖ機器はもとより、複数台のデジタルＴＶを制御可能にする。ＸＨＴ技術を利用すれば、茶の間でも居間にあるデジタルＴＶのデジタル放送受信機能を活用してデジタル放送を視聴できる。
【００３４】
また、ＸＨＴ技術を利用した廉価型放送受信装置（ＮＩＵ；ネットワークインターフェースユニット）は、メモリカード形態になっていて地上波・衛星・ケーブルなど受信方式による変更が容易で、放送事業者の経済的負担を低減させている。特に、ＸＨＴ技術は、デジタルＴＶに内蔵されたブラウザーを通じて多様な形態のＰＯＴＵＬサービスが可能である。
【００３５】
以下、図２ないし図４を参照して本発明の実施形態によるコンテンツ管理装置３００及びコンテンツ保存装置４００について説明する。
【００３６】
図２は、本発明の一実施形態によるコンテンツ管理装置を示すブロック図である。
【００３７】
図示されたコンテンツ管理装置３００は、放送信号受信モジュール３１０、制限受信モジュール３２０、復元モジュール３３０、スマートカードインターフェースモジュール３４０、ネットワークインターフェースモジュール３５０、デバイスインターフェースモジュール３６０、制御モジュール３７０、暗／復号化モジュール３８０、及び管理モジュール３９０を備える。
【００３８】
放送信号受信モジュール３１０は放送信号を受信する役割を行い、チューナ３１２及び復調器３１４を備える。
【００３９】
チューナ３１２は放送信号を受信し、受信された放送信号を中間周波数に変換して復調器３１４に提供する。例えば、チューナ３１２は、衛星から受信された信号を処理してＩ／Ｑ信号を検出し、検出されたＩ／Ｑ信号を復調器３１４に提供できる。
【００４０】
復調器３１４は、中間周波数に変化された信号から伝送ストリームを復元し、復元された伝送ストリームを制限受信モジュール３２０に提供する。例えば、復調器３１４は、ＱＰＳＫ復調器（図示せず）及びＦＥＣ復調器（図示せず）からなり、これを通じてＱＰＳＫ（クァドラティックフェーズシフトキーイング）復調及びＦＥＣ（フォワードエラーコレクション）作業を行うことができる。
【００４１】
制限受信モジュール３２０は、スマートカード２０を利用してユーザ認証作業を行う。さらに具体的に説明すれば、制限受信モジュール３２０は、復調器３１４から提供された伝送ストリーム内に含まれた認証パラメータと、スマートカードインターフェースモジュール３４０がスマートカード２０を判読して提供した認証パラメータとを比較して、コンテンツ管理装置３００のユーザに受信権限があるかどうかを判断する。二つの認証パラメータが相等しいならばユーザに受信権限があると判断でき、二つの認証パラメータが相異なるならばユーザに受信権限がないと判断できる。
【００４２】
ユーザ認証結果、ユーザに受信権限があると判断されれば（ユーザ認証成功）、制限受信モジュール３２０は伝送ストリームをデスクランブリングする。しかし、ユーザ認証結果、ユーザに受信権限がないと判断されれば（ユーザ認証失敗）、制限受信モジュール３２０は伝送ストリームに対するデスクランブリング作業を行わない。したがって、ユーザが代価を支払ったチャンネルの放送信号に対してはデスクランブリングが行われるが、そうでないチャンネルの放送信号に対してはデスクランブリングが行われない。
【００４３】
復元モジュール３３０は、制限受信モジュール３２０によりデスクランブリングされた伝送ストリームを利用してビデオ信号、オーディオ信号及びデータ信号を復元する。しかし、制限受信モジュール３２０が伝送ストリームをデスクランブリングしない場合、復元モジュール３３０は伝送ストリームに含まれたビデオ信号、オーディオ信号及びデータ信号を正常に復元できなくなる。
【００４４】
伝送ストリームを復元するために、復元モジュール３３０は逆多重化モジュール３３２及びデコーディングモジュール３３４を備える。
【００４５】
逆多重化モジュール３３２は、制限受信モジュール３２０からデスクランブリングされて提供された伝送ストリームをパージングしてビデオ信号、オーディオ信号、及びデータ信号を分離し、これらをデコーディングモジュール３３４に提供する。
【００４６】
デコーディングモジュール３３４は、ビデオデコーダ（図示せず）及びオーディオデコーダ（図示せず）を備え、これらは、それぞれ逆多重化モジュール３３２から提供されたビデオ信号及びオーディオ信号をデコーディングする。このうち、ビデオデコーダは、ＭＰＥＧ−２、ＭＰＥＧ−４などのビデオ圧縮解除方式によって具現でき、オーディオデコーダは、ＭＰ３（ＭＰＥＧ  Ｌａｙｅｒ−３）、ＡＣ３（オーディオコンプレッション）などのオーディオ圧縮解除方式によって具現できる。
【００４７】
また、デコーディングモジュール３３４は、データデコーダ（図示せず）を含むが、データデコーダは、逆多重化モジュール３３２から提供されたデータ信号をデコーディングする。データ信号はＥＰＧ（エレクトロニックプログラムガイド）データを含むが、ＥＰＧデータは、チャンネル番号、チャンネル名称、放送日、放送開始時間、コンテンツ識別子、プログラム説明などの放送プログラムに関する情報を含む。また、ＥＰＧデータは所定のキー値を含む。望ましくは、ＥＰＧデータに含まれるキー値は公開キー暗号化方式で使われる公開キーである。公開キーは、放送事業者１００の選択によって放送チャンネル別、プログラム別、プログラム内のサービス客体別に提供され、それに対応する個人キーは放送事業者１００が管理する。
【００４８】
スマートカードインターフェースモジュール３４０は、スマートカード２０を判読してスマートカード２０に保存された認証パラメータを制限受信モジュール３２０に提供する。本発明の他の実施形態によってスマートカード２０の代わりに認証パラメータを保存している他の形態の携帯用記録媒体が使われることができ、この場合、スマートカードインターフェースモジュール３４０は、該当携帯用記録媒体と連結されることができる携帯用記録媒体インターフェースモジュールで具現できる。
【００４９】
ネットワークインターフェースモジュール３５０は、インターネットプロトコル基盤の通信を支援し、リターンチャンネル１０を通じて放送事業者１００と連結される。コンテンツ管理装置３００は、ネットワークインターフェースモジュール３５０を通じてユーザに放送事業者１００との対話形サービスを提供できる。
【００５０】
デバイスインターフェースモジュール３６０は、ディスプレイ装置２００及びコンテンツ保存装置４００と通信を行うモジュールである。デバイスインターフェースモジュール３６０は、ディスプレイ装置２００及びコンテンツ保存装置４００との通信時にコンテンツの無断コピーを防止するための保安プロトコルを使用できる。望ましくは、デバイスインターフェースモジュール３６０は、ＤＴＣＰ（デジタルトランスミッションコンテントプロテクション）基盤のＩＥＥＥ  １３９４モジュールで具現できる。
【００５１】
制御モジュール３７０は、コンテンツ管理装置３００を構成する各モジュール等の動作を制御する。特に、制御モジュール３７０は、放送事業者１００にユーザが保存を要請したコンテンツを暗号化できる暗号キー及び該当コンテンツを再生できる権限情報を含む再生制限情報を要請する。
【００５２】
また、制御モジュール３７０は、コンテンツ保存装置４００からコンテンツが伝送された場合、該当コンテンツの再生制限情報を通じてコンテンツの再生如何を決定する。もし、コンテンツを再生させるならば、制御モジュール３７０は該当コンテンツの再生制限情報をアップデートできる。
【００５３】
暗／復号化モジュール３８０は、制御モジュール３７０の制御によってデータの暗号化及び復号化を担当する。暗／復号化モジュール３８０は、Ｄｉｆｆｉｅ−Ｈｅｌｌｍａｎ方式、ＲＳＡ方式、ＥｌＧａｍａｌ方式、及び楕円曲線方式などの公開キー暗号化だけでなく、ＤＥＳ方式及びＡＥＳ方式などの対称キー暗号化も行える。
【００５４】
管理モジュール３９０は、コンテンツ識別子及びコンテンツ識別子に対応する公開キーを管理する。コンテンツ識別子及びそれに対応する公開キーは放送信号に含まれているが、望ましくは、放送信号のうちデータ信号に含まれるＥＰＧデータに含まれることができる。したがって、ディスプレイ装置２００からコンテンツ識別子が伝送されれば、管理モジュール３９０は、受信されたコンテンツ識別子に対応する公開キーをＥＰＧデータから抽出できる。また、管理モジュール３９０は、放送事業者１００から受信されたコンテンツキー及び保存コンテンツ識別子を管理する。また、管理モジュール３９０は、コンテンツ保存装置４００から伝送されたキー情報を管理する。そのために、管理モジュール３９０は、論理的または物理的に保護された保存領域を具備でき、この保存領域に保存コンテンツ識別子及びそれに対応するコンテンツキー、及びコンテンツ保存装置４００から伝送されたキー情報などを保存させることができる。または、管理モジュール３９０は、スマートカードインターフェースモジュール３４０を通じて保存コンテンツ識別子、コンテンツキー、及びキー情報をスマートカード２０に保存させることもできる。
【００５５】
図３は、本発明の一実施形態による再生制限情報を示す図面である。
【００５６】
再生制限情報は、再生回数制限５１０、再生日制限５２０、及び再生期間制限５３０を含むことができる。
【００５７】
再生回数制限５１０は、コンテンツを再生できる回数を制限して正の整数値を持つ。例えば、再生制限情報に使用回数制限がＮと設定されているならば、コンテンツ管理装置３００の制御モジュール３７０は、再生制限情報が対象とするコンテンツをディスプレイ装置２００にＮ回提供できるようになる。
【００５８】
再生日制限５２０は、コンテンツを再生できる日を制限する。したがって、再生制限情報に再生日制限５２０が設定された場合、コンテンツ管理装置３００の制御モジュール３７０は、再生制限情報が対象とするコンテンツを再生日制限５２０の開始日以後からまたは終了日以前までディスプレイ装置２００に提供できる。
【００５９】
使用期間制限５３０は、コンテンツを再生できる時間の総合を制限する。例えば、再生制限情報に再生期間制限５３０が１０時間と設定されているならば、コンテンツ管理装置３００の制御モジュール３７０は、該当再生制限情報が対象とするコンテンツを１０時間ディスプレイ装置２００に提供できるようになる。
【００６０】
再生制限情報に再生回数制限５１０または再生期間制限５３０が設定されている場合、コンテンツ管理装置３００の制御モジュール３７０は、再生制限情報が対象とするコンテンツをディスプレイ装置２００に提供する時、再生回数または再生時間をカウントできる。そのために、制御モジュール３７０は、再生回数または再生時間のカウント値を別途に管理するか、再生制限情報をアップデートできる。
【００６１】
一方、前述した再生制限情報は例示的なものであるために、再生制限情報は、図３を通じて説明した制限事項以外にコンテンツの再生に必要な他の形態の制限事項をさらに含むことができる。
【００６２】
図４は、本発明の一実施形態によるコンテンツ保存装置を示すブロック図である。
【００６３】
図示されたコンテンツ保存装置４００は、デバイスインターフェースモジュール４１０、制御モジュール４２０、乱数発行モジュール４３０、及び保存モジュール４４０を備える。
【００６４】
デバイスインターフェースモジュール４１０は、ディスプレイ装置２００及びコンテンツ保存装置３００と通信を行うモジュールである。デバイスインターフェースモジュール４１０は、ディスプレイ装置２００及びコンテンツ保存装置３００との通信時にコンテンツの無断コピーを防止するためのＨＤＣＰ（Ｈｉｇｈ−ｂａｎｄｗｉｄｔｈ  Ｄｉｇｉｔａｌ  Ｃｏｎｔｅｎｔ  Ｐｒｏｔｅｃｔｉｏｎ）のような保安プロトコルを使用できる。望ましくは、デバイスインターフェースモジュール４１０は、ＤＴＣＰ（Ｄｉｇｉｔａｌ  Ｔｒａｎｓｍｉｓｓｉｏｎ  Ｃｏｎｔｅｎｔ  Ｐｒｏｔｅｃｔｉｏｎ）基盤のＩＥＥＥ  １３９４モジュールで具現できる。
【００６５】
制御モジュール４２０は、コンテンツ管理装置４００を構成する各モジュール等の動作を制御する。また、制御モジュール４２０は、ディスプレイ装置２００からキー情報生成要請が受信されれば、所定のキー情報を、デバイスインターフェースモジュール４１０を通じてコンテンツ管理装置３００に伝送させる。キー情報は、乱数発行モジュール４３０により発行された乱数、ＤＴＬＡ（Ｄｉｇｉｔａｌ  Ｔｒａｎｓｍｉｓｓｉｏｎ  Ｌｉｃｅｎｓｉｎｇ  Ａｄｍｉｎｉｓｔｒａｔｏｒ）から提供されたＤＴＬＡキー値、またはこれらの組み合わせのうちいずれか一つでありうる。
【００６６】
一方、ディスプレイ装置２００からコンテンツ再生要請が受信されれば、制御モジュール４２０は、要請されたコンテンツを保存モジュール４４０で検索し、検索されたコンテンツを、デバイスインターフェースモジュール４１０を通じてコンテンツ管理装置３００に伝送する。
【００６７】
乱数発行モジュール４３０は所定の乱数を発行する。乱数は、任意性を持つ数字列、文字列、またはこれらの組み合わせでありうる。
【００６８】
保存モジュール４４０はコンテンツを保存する。保存モジュール４４０に保存されるコンテンツはコンテンツ管理装置３００により暗号化された状態であり、コンテンツ管理装置３００から伝送された保存コンテンツ識別子と共に保存されることができる。
【００６９】
以下、図１ないし図４を通じて説明したコンテンツ管理システムの動作について説明する。本発明は、コンテンツ保存過程とコンテンツ再生過程とに大別できる。したがって、本発明の理解を助けるために、コンテンツ管理システムの動作をコンテンツ保存過程とコンテンツ再生過程とに分けて説明する。
【００７０】
（１）コンテンツ保存過程
図５は、本発明の一実施形態によるコンテンツ管理システムのコンテンツ保存過程を示す図面である。
【００７１】
放送事業者１００が放送信号を出力すれば（１）、コンテンツ管理装置３００は放送信号を受信し、これを復元してディスプレイ装置２００に提供する（２）。
【００７２】
この時、ディスプレイ装置２００は、復元された放送信号に含まれたコンテンツをユーザにディスプレイし、ユーザの要請時に放送信号に含まれたＥＰＧデータを使用して、コンテンツについての情報を表すＧＵＩ（Ｇｒａｐｈｉｃ  Ｕｓｅｒ  Ｉｎｔｅｒｆａｃｅ）をユーザにディスプレイする（３）。
【００７３】
ユーザから特定コンテンツの保存要請が入力されれば（４）、ディスプレイ装置２００は、保存要請されたコンテンツのコンテンツ識別子をコンテンツ管理装置３００に伝送する（５）。また、ディスプレイ装置２００は、コンテンツ保存装置４００に所定のキー情報を生成するように要請する（６）。
【００７４】
コンテンツ保存装置４００は、ディスプレイ装置２００の要請に応じてキー情報を生成し、これをコンテンツ管理装置３００に伝送する（７）。
【００７５】
コンテンツ識別子及びキー情報を受信したコンテンツ管理装置３００は、所定の認証情報を暗号化し、これをコンテンツ識別子と共に放送事業者１００に伝送する（８）。認証情報は、前述したようにコンテンツ保存装置４００から受信されたキー情報及びスマートカード２０を識別できる記録媒体識別子のうち少なくとも一つを含むことができる。キー情報及び記録媒体識別子の暗号化に使われるキーは放送信号から抽出できる。望ましくは、コンテンツ管理装置３００は、放送事業者１００から伝送された放送信号のうちデータ信号に含まれたＥＰＧデータから公開キーを抽出し、これを使用して認証情報を暗号化できる。一方、コンテンツ管理装置３００は、認証情報のハッシュ値をコンテンツ識別子及び暗号化された認証情報と共に放送事業者１００に伝送できる。
【００７６】
放送事業者１００は、コンテンツ管理装置３００から受信されたコンテンツ識別子に対応する個人キーを使用して暗号化された認証情報を復号化できる（９）。もし、コンテンツ管理装置３００から認証情報のハッシュ値も共に受信されたならば、放送事業者１００は、復号化された認証情報に所定のハッシュ関数を適用した結果と、コンテンツ管理装置３００から受信された認証情報のハッシュ値との同一如何を判断することによって、受信されたデータの無欠性、適合性などを確認することができる。
【００７７】
ハッシュ値を通じて受信されたデータに異常がないと判断されれば、放送事業者１００は、コンテンツ管理装置３００から受信されたコンテンツ識別子に対応するコンテンツ管理情報及び該当コンテンツ識別子をコンテンツ管理装置３００に伝送する（１０）。コンテンツ管理情報は、コンテンツを暗／復号化できるコンテンツキー、コンテンツについての再生制限情報、及び保存コンテンツ識別子を含む。このうち、保存コンテンツ識別子は、コンテンツキーを通じてコンテンツを暗号化する場合、暗号化されたコンテンツを識別するための情報である。一方、コンテンツ管理情報は、復号化された認証情報を使用して暗号化された後に伝送できる。望ましくは、放送事業者１００は、認証情報に含まれたキー情報を使用してコンテンツ管理情報を暗号化できる。
【００７８】
コンテンツ管理装置３００は、放送事業者１００から伝送された暗号化されたコンテンツ管理情報を認証情報を使用して復号化し、暗号キーを使用してユーザが要請したコンテンツを暗号化する（１１）。
【００７９】
その後、コンテンツ管理装置３００が保存コンテンツ識別子及び暗号化されたコンテンツをコンテンツ保存装置４００に伝送すれば（１２）、コンテンツ保存装置４００はそれを保存しておく（１３）。
【００８０】
以下、図６及び図７を参照して、コンテンツ保存過程時のコンテンツ管理装置３００及びコンテンツ保存装置４００の動作過程についてさらに具体的に説明する。
【００８１】
図６は、本発明の一実施形態によるコンテンツ管理方法を示すフローチャートである。図示されたフローチャートは、コンテンツ保存過程時のコンテンツ管理装置３００の動作過程を説明する。
【００８２】
放送受信モジュール３１０が放送信号を受信すれば（Ｓ６１０）、制限受信モジュール３２０は、スマートカードインターフェースモジュール３４０がスマートカード２０を判読して提供した認証パラメータを通じてユーザ認証作業を行う（Ｓ６１５）。
【００８３】
もし、ユーザ認証に失敗すれば、制限受信モジュール３２０は、スクランブリングされた状態の伝送ストリームを復元モジュール３３０に提供する。ユーザ認証に失敗した場合には、正常なビデオ信号、オーディオ信号、及びデータ信号を復元できず、本実施形態ではこれについての説明を省略する。
【００８４】
ユーザ認証に成功すれば、制限受信モジュール３２０は、放送信号受信モジュール３１０から提供された伝送ストリームをデスクランブリングし、復元モジュール３３０は、デスクランブリングされた伝送ストリームを復元する（Ｓ６２０）。
【００８５】
この時、デバイスインターフェースモジュール３６０は、復元モジュール３３０の復元結果として出力されるビデオ信号、オーディオ信号、及びデータ信号をディスプレイ装置２００に伝送する（Ｓ６２５）。
【００８６】
その後、デバイスインターフェースモジュール３６０がディスプレイ装置２００からコンテンツ識別子を受信し（Ｓ６３０）、コンテンツ保存装置４００からキー情報を受信すれば（Ｓ６３５）、管理モジュール３９０は、ディスプレイ装置２００から受信されたコンテンツ識別子に対応する公開キーを放送信号から抽出し（Ｓ６４０）、コンテンツ保存装置４００から受信されたキー情報をディスプレイ装置２００から受信されたコンテンツ識別子にマッピングさせる（Ｓ６４５）。望ましくは、公開キーは、放送信号中にデータ信号に含まれたＥＰＧデータから抽出されうる。
【００８７】
その後、暗／復号化モジュール３８０は、抽出された公開キーを使用して所定の認証情報を暗号化する（Ｓ６５０）。認証情報は、コンテンツ保存装置４００から受信されたキー情報及びスマートカード２０を識別できる記録媒体識別子のうち少なくとも一つを含む。
【００８８】
制御モジュール３７０は、ディスプレイ装置２００から受信されたコンテンツ識別子及び暗／復号化モジュール３８０により暗号化された認証情報を、ネットワークインターフェースモジュール３５０を通じて放送事業者１００に伝送させる（Ｓ６５５）。この時、制御モジュール３７０は、認証情報のハッシュ値をコンテンツ識別子及び暗号化された認証情報と共に伝送させることができる。
【００８９】
その後、ネットワークインターフェースモジュール３５０が放送事業者１００からコンテンツ識別子及び暗号化されたコンテンツ管理情報を受信すれば（Ｓ６６０）、暗／復号化モジュール３８０は、暗号化されたコンテンツ管理情報を復号化する（Ｓ６６５）。コンテンツ管理情報は、コンテンツを暗／復号化できるコンテンツキー、コンテンツについての再生制限情報及び保存コンテンツ識別子を含む。保存コンテンツ識別子は、コンテンツキーを通じてコンテンツを暗号化する場合、暗号化されたコンテンツを識別するための情報である。
【００９０】
受信されたコンテンツ管理情報は、段階Ｓ６５５で放送事業者１００に伝送した認証情報を通じて暗号化された状態でありうる。望ましくは、コンテンツキー、再生制限情報、及び保存コンテンツ識別子は、キー情報を使用して暗号化された状態である。したがって、管理モジュール３９０は、放送事業者１００から受信されたコンテンツ識別子に対応するキー情報を暗／復号化モジュール３８０に提供し、暗／復号化モジュール３８０は、これを使用して暗号化されたコンテンツ管理情報を復号化できる。
【００９１】
その後、管理モジュール３９０は、再生制限情報及びコンテンツキーを保存コンテンツ識別子にマッピングしておく（Ｓ６７０）。もし、放送事業者１００から受信されたコンテンツ管理情報に保存コンテンツ識別子が含まれていないならば、管理モジュール３９０は、再生制限情報及びコンテンツキーをコンテンツ識別子や別途に生成した識別情報にマッピングしておくことができる。
【００９２】
一方、制御モジュール３７０は、復元モジュール３３０を通じてコンテンツ識別子に対応するコンテンツを放送信号から選別し（Ｓ６７５）、暗／復号化モジュール３８０は、コンテンツキーを使用して選別されたコンテンツを暗号化する（Ｓ６８０）。
【００９３】
コンテンツが暗号化されれば、制御モジュール３７０は、暗号化されたコンテンツ及び暗号化されたコンテンツがマッピングされた保存コンテンツ識別子をデバイスインターフェースモジュール３６０を通じてコンテンツ保存装置４００に伝送させる（Ｓ６８５）。
【００９４】
図７は、本発明の他の実施形態によるコンテンツ管理方法を示すフローチャートである。図示されたフローチャートは、コンテンツの保存過程時にコンテンツ保存装置４００の動作過程を説明する。
【００９５】
デバイスインターフェースモジュール４１０がディスプレイ装置２００からキー情報生成要請を受信すれば（Ｓ７１０）、制御モジュール４２０は、所定のキー情報を生成する（Ｓ７２０）。ここで、制御モジュール４２０が生成したキー情報は、乱数発行モジュール４３０が発行した乱数、ＤＴＬＡキー値、及びこれらの組み合わせのうち一つでありうる。
【００９６】
デバイスインターフェースモジュール４１０は、制御モジュール４２０が生成したキー情報をコンテンツ管理装置３００に伝送する（Ｓ７３０）。
【００９７】
その後、デバイスインターフェースモジュール４１０がコンテンツ管理装置３００から保存コンテンツ識別子及び暗号化されたコンテンツを受信すれば（Ｓ７４０）、制御モジュール４２０は、保存コンテンツ識別子に暗号化されたコンテンツを保存モジュール４４０に保存させておく（Ｓ７５０）。保存モジュール４４０に保存される暗号化されたコンテンツは、保存コンテンツ識別子にマッピングされる。
【００９８】
（２）コンテンツ再生過程
図８は、本発明の一実施形態によるコンテンツ管理システムのコンテンツ再生過程を示す図面である。
【００９９】
ユーザは、ディスプレイ装置２００を使用してコンテンツ保存装置４００に保存されたコンテンツの目録を検索できる。ユーザが特定コンテンツの再生を要請すれば（ａ）、ディスプレイ装置２００は、コンテンツ管理装置３００及びコンテンツ保存装置４００に該当コンテンツの再生を要請する（ｂ、ｃ）。
【０１００】
コンテンツ保存装置４００は、ディスプレイ装置２００から要請されたコンテンツ及び該当コンテンツの保存コンテンツ識別子をコンテンツ管理装置３００に伝送する（ｄ）。
【０１０１】
コンテンツ管理装置３００は、コンテンツ保存装置４００から受信された保存コンテンツ識別子に対応する再生制限情報を確認して、該当コンテンツの再生が許容されるかどうかを判断する。もし、再生が許容されるならば、コンテンツ管理装置３００は、暗号化されたコンテンツを復号化できる暗号キーを検索し、検索された暗号キーを使用して暗号化されたコンテンツを復号化する（ｅ）。
【０１０２】
その後、コンテンツ管理装置３００は、復号化されたコンテンツをディスプレイ装置２００に伝送し（ｆ）、ディスプレイ装置２００は、コンテンツ管理装置３００から伝送されたコンテンツをディスプレイする（ｇ）。
【０１０３】
この時、コンテンツ管理装置３００はコンテンツを提供することによって再生制限情報をアップデートできる（ｈ）。
【０１０４】
以下、図９を参照して、コンテンツの再生過程時、コンテンツ管理装置３００の動作過程についてさらに具体的に説明する。
【０１０５】
図９は、本発明のさらに他の実施形態によるコンテンツ管理方法を示すフローチャートである。
【０１０６】
デバイスインターフェースモジュール３６０がディスプレイ装置２００からコンテンツ再生要請を受信し（Ｓ８１０）、コンテンツ保存装置４００から保存コンテンツ識別子及び暗号化されたコンテンツを受信すれば（Ｓ８２０）、制御モジュール３７０は、受信された保存コンテンツ識別子に対応する再生制限情報を通じてコンテンツの再生権限が残っているかどうかを確認する（Ｓ８３０）。例えば、再生制限情報に再生回数制限が設定されている場合、制御モジュール３７０は、コンテンツを再生させることができる再生回数が残っているかどうかを確認できる。
【０１０７】
制御モジュール３７０によってコンテンツの再生権限があると判断されれば、管理モジュール３９０は、受信された保存コンテンツ識別子に対応するコンテンツキーを暗／復号化モジュール３８０に提供する（Ｓ８４０）。
【０１０８】
暗／復号化モジュール３８０は、管理モジュール３９０から受信されたコンテンツキーを使用して、コンテンツ保存装置４００から受信された暗号化されたコンテンツを復号化する（Ｓ８５０）。
【０１０９】
その後、デバイスインターフェースモジュール３６０は、復号化されたコンテンツをディスプレイ装置２００に伝送する（Ｓ８６０）。この時、制御モジュール３７０は、提供されるコンテンツの再生情報をアップデートできる（Ｓ８７０）。例えば、制御モジュール３７０は、ディスプレイ装置２００に提供するコンテンツの再生回数をカウントできる。または、制御モジュール３７０は、ディスプレイ装置２００にコンテンツを提供する時間ほど再生制限情報の再生時間をカウントできる。
【０１１０】
一方、段階Ｓ８３０の判断結果、該当コンテンツの再生権限が残っていなければ、制御モジュール３７０は、コンテンツを再生できないというメッセージを、デバイスインターフェースモジュール３６０を通じてディスプレイ装置２００に伝送できる（Ｓ８８０）。その後、制御モジュール３７０は、ネットワークインターフェースモジュール３５０を通じて放送事業者１００に該当コンテンツに対応する新たな再生制限情報を要請できる（Ｓ８９０）。
【０１１１】
前述した各実施形態では、コンテンツ管理装置３００、ディスプレイ装置２００、及びコンテンツ保存装置４００を別個のデバイスであると説明したが、本発明はこれに限定されない。したがって、実施形態の変形によれば、コンテンツ管理装置３００、ディスプレイ装置２００、及びコンテンツ保存装置４００のうち一つ以上の装置が統合されてもよい。この場合、各装置を構成するモジュールのうち類似した機能を行うモジュールは一つのモジュールで具現できる。また、複数の装置を統合させる場合、各装置を構成するモジュール間の有機的な連結のためのさらに他のモジュールがさらに追加されてもよい。
【０１１２】
以上、添付図を参照して本発明の実施例を説明したが、本発明が属する技術分野で当業者ならば本発明がその技術的思想や必須特徴を変更せずとも他の具体的な形に実施されうるということが理解できるであろう。したがって、前述した実施例は全ての面で例示的なものであって、限定的なものではないと理解せねばならない。
【産業上の利用可能性】
【０１１３】
本発明は、放送システムの関連技術分野に好適に用いられる。
【図面の簡単な説明】
【０１１４】
【図１】本発明の一実施形態によるコンテンツ管理システムを示す図である。
【図２】本発明の一実施形態によるコンテンツ管理装置を示すブロック図である。
【図３】本発明の一実施形態による再生制限情報を示す図である。
【図４】本発明の一実施形態によるコンテンツ保存装置を示すブロック図である。
【図５】本発明の一実施形態によるコンテンツ管理システムのコンテンツ保存過程を示す図である。
【図６】本発明の一実施形態によるコンテンツ管理方法を示すフローチャートである。
【図７】本発明の他の実施形態によるコンテンツ管理方法を示すフローチャートである。
【図８】本発明の一実施形態によるコンテンツ管理システムのコンテンツ再生過程を示す図である。
【図９】本発明のさらに他の実施形態によるコンテンツ管理方法を示すフローチャートである。
【符号の説明】
【０１１５】
３１０      放送信号受信モジュール
３２０      制限受信モジュール
３３０      復元モジュール
３４０      スマートカードインターフェースモジュール
３５０      ネットワークインターフェースモジュール
３６０      デバイスインターフェースモジュール
３７０      制御モジュール
３８０      暗／復号化モジュール
３９０      管理モジュール
４２０      制御モジュール
４３０      乱数発行モジュール
４１０      デバイスインターフェースモジュール
４４０      保存モジュール
【図１】
2006319970.tif 000003
【図２】
2006319970.tif 000004
【図３】
2006319970.tif 000005
【図４】
2006319970.tif 000006
【図５】
2006319970.tif 000007
【図６】
2006319970.tif 000008
【図７】
2006319970.tif 000009
【図８】
2006319970.tif 000010
【図９】
2006319970.tif 000011